(57)【要約】【課題】通信端末が１つ以上の外部の通信端末を代表してサービス端末からサービス情報を受信し、受信したサービス情報を外部の通信端末移譲する通信端末を提供すること。【解決手段】近接して無線通信する通信手段と、サービス情報の要求と配布数を生成する要求配布数生成手段と、サービス情報を外部の通信端末に送付するか否かを判断する判断手段と、前記判断手段により外部の通信端末にサービス情報を送信すると判断すると、前記通信手段により外部の通信端末に近接して通信し、外部の通信端末からＩＤ情報を受信し、前記通信手段によりサービス端末に近接して通信し、サービス情報の要求と配布数を送信し、前記サービス端末から配布可能数とサービス情報を受信し、前記通信手段により再び外部の通信端末に近接して通信し、配布可能数分の外部の通信端末に前記サービス情報を送信することを特徴とする。【選択図】  図１
2015153115.tif 000002
【特許請求の範囲】
【請求項１】
通信端末であって、
近接して無線通信する通信手段と、
サービス情報の要求配布数を生成する要求配布数生成手段と、
サービス情報を外部の通信端末に送付するか否かを判断する判断手段と、
前記判断手段により外部の通信端末にサービス情報を送信すると判断すると、
前記通信手段により外部の通信端末に近接して通信し、外部の通信端末からＩＤ情報を受信し、
前記通信手段によりサービス端末に近接して通信し、サービス情報の要求と配布数を送信し、
前記サービス端末から配布可能数とサービス情報を受信し、
前記通信手段により再び外部の通信端末に近接して通信し、配布可能数分の外部の通信端末に前記サービス情報を送信することを特徴とする通信端末。
【請求項２】
近接して無線通信する通信手段と、サービス情報を外部の通信端末に送付するか否かを判断する判断手段と、前記判断手段により外部の通信端末にサービス情報を送信しないと判断すると、前記通信手段により外部の通信端末に近接して通信し、外部の通信端末にＩＤ情報を送信し、前記通信手段により再び外部の通信端末に近接して通信し、前記外部の通信端末からサービス情報を受信する  ことを特徴とする請求項１に記載の通信端末。
【請求項３】
前記要求配布数生成手段は前記外部の通信端末より受信した取得したＩＤ数から要求配布数を生成することを特徴とする請求項１又は請求項２に記載の通信端末。
【請求項４】
更にユーザが操作をする操作手段を備え、前記要求配布数生成手段は前記操作手段からの入力情報により要求配布数を生成することを特徴とする請求項１又は請求項２に記載の通信端末。
【請求項５】
前記サービス情報を受信後に前記通信手段により外部の通信端末に近接して通信した際に、外部の通信端末に通信端末のＩＤ情報を要求し、外部の通信端末からＩＤ情報を受信すると、前記サービス情報を受信する前に受信したＩＤ情報と照合し、両方のＩＤ情報が一致したらサービス情報を外部の通信端末に送信することを特徴とする請求項１乃至請求項４の何れか１項に記載の通信端末。
【請求項６】
前記通信端末のＩＤ情報とは近距離無線の際に使用する固有の識別ＩＤであることを特徴とする請求項１乃至請求項５の何れか１項に記載の通信端末。
【請求項７】
前記通信端末のＩＤ情報とはサービス端末から受信する固有の認証ＩＤであり、前記認証ＩＤは更にサービス情報の受信を許可する機器であることを示すことを特徴とする請求項１乃至請求項５の何れか１項に記載の通信端末。
【請求項８】
サービス端末であって、
近接して無線通信する通信手段と、
サービス情報を生成するサービス情報生成手段と、
サービス情報の配布可能数を生成する配布可能数生成手段と、
前記配布可能数生成手段は通信端末から受信した配布数に応じて配布可能数情報を生成し、
前記通信手段により前記配布可能数と前記サービス情報を情報端末に送信する
ことを特徴とするサービス端末。
【発明の詳細な説明】
【技術分野】
【０００１】
本発明は、通信端末が近接無線通信を使用してサービス情報を取得することに関し、特に通信端末のサービス情報の中継と外部の通信端末への移譲に関するものである。
【背景技術】
【０００２】
従来の技術において、特許文献１では、電子クーポンを配布するリーダライタ装置端末があって、通信端末は所有者のプロフィール情報を送信し、リーダライタ装置は電子クーポンのキーワードにプロフィール情報が条件を満たしていたら、クーポンを送付する技術が開示されている。
【先行技術文献】
【特許文献】
【０００３】
【特許文献１】特開２００８−１８６０４８号公報
【発明の概要】
【発明が解決しようとする課題】
【０００４】
しかしながら、上述の特許文献１に開示された従来技術では、通信端末からの情報を用いて配布するクーポン情報を選んでいるが、配布する枚数については言及されていない。この場合、通信端末はリーダライタ端末が種類を選択したクーポン情報を取得しているが、通信端末は配布枚数が限定されたクーポン情報をリーダライタから取得し、配布可能数分のクーポン情報を外部の通信端末に移譲するといったことができない。例えば、複数人（複数の通信端末）がリーダライタ端末に並んで直接クーポン情報を取得するのではなく、外部の通信端末を代表して１台の通信端末（以後、代表者端末）がリーダライタ端末からクーポン情報を取得して、外部の通信端末にクーポン情報を渡したい場合もある。このような仕組みに先行例は対応していない。
【０００５】
そこで、本発明の目的は、通信端末が１つ以上の外部の通信端末（子機）を代表してサービス端末（リーダライタ装置）からサービス情報（クーポン情報）を受信し、受信したサービス情報を外部の通信端末（子機）に移譲する通信端末を提供することである。
【課題を解決するための手段】
【０００６】
上記目的を達成するために、本発明の通信端末は、近接して無線通信する通信手段と
サービス情報の要求と配布数を生成する要求配布数生成手段と、サービス情報を外部の通信端末に送付するか否かを判断する判断手段と、前記判断手段により外部の通信端末にサービス情報を送信すると判断すると、前記通信手段により外部の通信端末に近接して通信し、外部の通信端末からＩＤ情報を受信し、前記通信手段によりサービス端末に近接して通信し、サービス情報の要求と配布数を送信し、前記サービス端末から配布可能数とサービス情報を受信し、前記通信手段により再び外部の通信端末に近接して通信し、配布可能数分の外部の通信端末に前記サービス情報を送信することを特徴とする。
【発明の効果】
【０００７】
本発明によれば、通信端末間でサービス情報を移譲して間接的にサービス情報を取得できるので、全員がサービス端末に並んで直接サービス情報を取得しなくてよい。
【図面の簡単な説明】
【０００８】
【図１】（ａ）本発明のシステムの構成例で通信端末間での近接無線通信示を示す図（ｂ）本発明のシステムの構成例で通信端末とサービス端末での近接無線通信を示す図
【図２】本発明の通信端末のブロック図
【図３】本発明のサービス端末のブロック図
【図４】本発明の通信端末の動作処理を示したフロー図
【図５】本発明の通信端末の子機機能としての動作処理を示したフロー図
【図６】本発明のサービス端末の動作処理を示したフロー図
【発明を実施するための形態】
【０００９】
以下に、本発明の好ましい実施の形態を、図面に基づいて詳細に説明するが、本実施形態に限定されず、その要旨の範囲内で種々の変形及び変更が可能である。
【００１０】
［実施例１］
＜システムの構成＞
図１（ａ）は、本発明の第１の実施形態におけるシステムの構成例で、通信端末間での近接無線通信を示す図である。
【００１１】
図１（ａ）において、近接無線通信機能を持つ通信端末１００ａ、および近接無線通信機能を持つ通信端末１００ｂから構成され、通信端末１００ａが、近接無線通信機能を持つ通信端末１００ｂの近接を検出すると近接無線通信を開始する。ここで、通信端末とは例えば、スマートフォン等である。近接無線通信とは例えばＮＦＣ（ＮｅａｒＦｉｅｌｄＣｏｍｍｕｎｉｃａｔｉｏｎ）であり、以降はＮＦＣで説明する。
【００１２】
通信端末１００ａはアンテナを有し、通信端末１００ｂの近接と検出すると、アンテナからＲＦ（Ｒａｄｉｏ  Ｆｒｅｑｕｅｎｃｙ）信号を出力し、該ＲＦ信号に変調をかけることで近接無線通信を行う。
【００１３】
通信端末１００ｂもアンテナを有し、通信端末１００ａからの該ＲＦ信号に重畳された変調信号を受信し、復調することで通信端末１００ａからの信号を理解する。
【００１４】
通信端末１００ｂはアンテナを通して、通信端末１００ａが出力したＲＦ信号に負荷変調をかけることで通信端末１００ａに信号を返す。負荷変調とは、受信したＲＦ信号に変調信号を重畳することであり、変調方式は振幅変調をかける場合と周波数変調をかける場合がある。
【００１５】
図１（ｂ）は本発明の第１の実施形態のシステムの構成例で、通信端末１００ａとサービス端末２００での近接無線通信を示す図である。
【００１６】
図１（ｂ）において、近接無線通信機能を持つ通信端末１００ａ、および近接無線通信機能を持つサービス端末２００から構成され、サービス端末２００が、近接無線通信機能を持つ通信端末１００ａの近接を検出すると近接無線通信を開始する。
【００１７】
サービス端末２００はアンテナを有し、通信端末１００ａの近接と検出すると、アンテナからＲＦ信号を出力し、該ＲＦ信号に変調をかけることで近接無線を行う。
【００１８】
通信端末１００ａはサービス端末２００からの該ＲＦ信号に重畳された変調信号を受信し、復調することでサービス端末２００からの信号を理解する。
【００１９】
通信端末１００ａはアンテナを通して、サービス端末２００が出力したＲＦ信号に負荷変調をかけることでサービス端末２００に信号を返す。
【００２０】
ここでサービス端末は近接無線通信によりサービス情報を通信端末１００ａに送信する。サービス情報とは例えば、クーポン券情報やアミューズメントパークでの予約券情報等である。
【００２１】
＜通信端末１００の構成＞
図２は、本発明の第１の実施形態における通信端末１００の構成を示すブロック図である。
【００２２】
通信端末１００は、制御部１０１、ＲＡＭ１０２、撮影部１０３、表示部１０４、操作部１０５、記録部１０６、無線通信部１０７、内部バス１０８、ＮＦＣ通信部１０９により構成される。
【００２３】
制御部１０１は、例えばＣＰＵで構成され、通信端末１００を構成するすべての処理ブロックの制御を行う。また、プログラムを格納するためのＲＯＭは、制御部１０１に属しているものとし、図２では省略する。
【００２４】
ＲＡＭ１０２は、主に制御部１０１のワークエリアや、データの一時バッファ領域として使用されるメモリである。ＯＳ（Ｏｐｅｒａｔｉｏｎ  Ｓｙｓｔｅｍ）やアプリケーション等のプログラムは、ＲＡＭ１０２上に展開され、制御部１０１により実行される。
【００２５】
ＲＯＭ１０３は、不揮発性のメモリで、制御部１０１のＣＰＵの動作プログラムや設定情報などが格納されている。
【００２６】
撮像部１０３は、光学レンズ、ＣＭＯＳセンサ、デジタル画像処理部等を備え、光学レンズを介して入力されるアナログ信号をデジタルデータに変換して撮影画像を取得する処理ブロックである。撮像部１０３によって取得された撮影画像は、ＲＡＭ１０２に一時的に格納され、制御部１０１の制御に基づいて処理される。例えば、記録部１０６による記録媒体への記録や、無線通信部１０７による外部機器への送信などである。また撮像部１０３は、レンズ制御部も備えており、制御部１０１からの指令に基づいて、ズーム、フォーカス、絞り調整等の制御を行う。
【００２７】
表示部１０４は、液晶パネル、または有機ＥＬパネル等で構成され、制御部１０１の指示に基づいて、操作画面や、撮影画像等の表示を行う。
【００２８】
操作部１０５は、ボタン、十字キー、タッチパネル、またはリモコン等によって構成され、ユーザの操作指示を受け付ける。操作部１０５から入力された操作情報は、制御部１０１に送信され、制御部１０１は操作情報に基づいて各処理ブロックの制御を実行する。
【００２９】
記録部１０６は大容量の記録媒体によって構成され、制御部１０１の指示に基づいて記録媒体に様々なデータを格納したり読み出したりする処理ブロックである。記録媒体は、例えば内蔵フラッシュメモリ、内蔵ハードディスク、或いは着脱可能なメモリカード等で構成される。
【００３０】
無線通信部１０７は、アンテナ、無線ＬＡＮ等の通信を行うための処理ハードウェア等を備え、例えばＩＥＥＥ８０２．１１ｎ／ａ／ｇ／ｂ方式の無線ＬＡＮ通信を行う処理ブロックである。無線通信部２０７は、外部のアクセスポイントと無線ＬＡＮで接続し、アクセスポイント経由で他の無線通信機器と無線ＬＡＮ通信を行う。
【００３１】
内部バス１０８は、通信端末１００内の各処理ブロックを相互に接続するためのバスである。
【００３２】
ＮＦＣ通信部１０９は、アンテナ等から構成され、ＮＦＣのリーダライタモード、Ｐｅｅｒモードによるイニシエータとターゲット、及びカードエミュレーションモードの各モードにおける通信機能を有する。ＮＦＣのリーダライタモード、またはＰＥＥＲモードのイニシエータの場合、アンテナからＲＦ信号を出力することにより、ＮＦＣのタグ等との間で近接無線通信を行う。ＮＦＣのＰＥＥＲモードのターゲット、またはカードエミュレーションモードの場合はアンテナから変調されたＲＦ信号を受信してＲＡＭ１０２に保存する。また、ＮＦＣのＰＥＥＲモードのターゲット、またはカードエミュレーションモードの場合、ＮＦＣ通信部１０９は、受信したＲＦ信号に対して負荷変調をかけて応答信号を送信する。
【００３３】
＜サービス端末２００の構成＞
図３は、本発明の第１の実施形態におけるサービス端末２００の構成を示すブロック図である。サービス端末２００は制御部２０１、ＲＡＭ２０２、表示部２０３、内部バス２０４、操作部２０５、記憶部２０６、通信部２０７、ＮＦＣ通信部２０８により構成される。
【００３４】
制御部２０１は、例えばＣＰＵで構成され、サービス端末２００を構成するすべての処理ブロックの制御を行う。また、プログラムを格納するためのＲＯＭは、制御部２０１に属しているものとし、図３では省略する。
【００３５】
ＲＡＭ２０２は、主に制御部２０１のワークエリアや、データの一時バッファ領域として使用されるメモリである。
【００３６】
表示部２０３は、液晶パネル、または有機ＥＬパネル等で構成され、制御部２０１の指示に基づいて、操作画面等の表示を行う。
【００３７】
内部バス２０４は、サービス端末２００内の各処理ブロックを相互に接続するためのバスである。
【００３８】
操作部２０５は、ボタン、十字キー、タッチパネル、またはリモコン等によって構成され、ユーザの操作指示を受け付ける。操作部２０５から入力された操作情報は、制御部２０１に送信され、制御部２０１は操作情報に基づいて各処理ブロックの制御を実行する。
【００３９】
記録部２０６は、大容量の記録媒体によって構成され、制御部２０１の指示に基づいて記録媒体に様々なデータを格納したり読み出したりする処理ブロックである。記録媒体は、例えば内蔵フラッシュメモリ、内蔵ハードディスク、或いは着脱可能なメモリカード等で構成される。
【００４０】
通信部２０７は、無線ＬＡＮ及び有線ＬＡＮの通信を行うためのハードウェア等を備えている。無線ＬＡＮにおいては、例えばＩＥＥＥ８０２．１１ｎ／ａ／ｇ／ｂ方式の処理ブロックである。通信部２０７は、外部のアクセスポイントと無線ＬＡＮで接続し、アクセスポイント経由で他の無線通信機器と無線ＬＡＮ通信を行う。また、通信部２０７は有線ＬＡＮにおいてＥｔｈｅｒｎｅｔ(登録商標)ケーブルにより外部ルータ、またはスイッチングハブを介して外部のサーバー等（不図示）と通信を行う。外部サーバーはサービス情報の発注許可の情報を管理する。例えば、外部サーバーは、アミューズメントパーク等の入場ゲート（のＮＦＣ端末）に接続されており、後述する認証ＩＤや識別ＩＤを管理している。サービス端末２０は通信部２０７を通して、該認証ＩＤや識別ＩＤを外部サーバーから受信する。
【００４１】
ＮＦＣ通信部２０８はアンテナ及び共振回路から構成され、ＮＦＣのリーダライタモード、ＰＥＥＲモードによるイニシエータとターゲットモード、及びカードエミュレーションモードの各モードにおける通信機能を有する。ＮＦＣのリーダライタモード、またはＰＥＥＲモードのイニシエータの場合、アンテナからＲＦ信号を出力することにより、外部のＮＦＣタグ等との間で、非接触で近接通信を行い、ＮＦＣタグ（が内蔵するメモリ）に、データを記憶させ（書き込み）、また、ＮＦＣタグからデータを読み出す。
【００４２】
ＮＦＣのＰＥＥＲモードのターゲット、またはカードエミュレーションモードの場合はアンテナから変調されたＲＦ信号を受信してＲＡＭ２０２に保存する。また、ＮＦＣのＰＥＥＲモードのターゲット、またはカードエミュレーションモードの場合、ＮＦＣ通信部２０８は、受信したＲＦ信号に対して負荷変調をかけて応答信号を送信する。
【００４３】
以上、通信端末１００とサービス端末２００の構成を説明したが、ＲＦ信号を出力するのは、適宜ＮＦＣのリーダライタモードまたはＰＥＥＲモードによるイニシエータになった機器が行う。
【００４４】
＜通信端末の動作フロー＞
図４は、本発明の第１の実施形態における通信端末１００の動作処理を示したフロー図である。図４を用いて通信端末１００が外部の通信端末（子機）を代表（代表者端末）してサービス端末と近接無線通信を行い、サービス端末からサービス情報を受信して、再度子機と近接無線通信をして該サービス情報を送信する動作処理を説明する。
【００４５】
Ｓ３０１として、通信端末１００の制御部１０１は子機にサービス情報を送信する機器か否かを判断する。これは、通信端末１００が代表者端末として機能するか、子機として機能するか否かの判断である。
【００４６】
具体的には、通信端末１００のユーザにより操作部１０５を通して、代表者として機能するように指示があると、制御部１０１は、Ｓ３０１で子機にサービス情報を送信する機器であると判断する。
【００４７】
制御部１０１は子機にサービス情報を送信すると判断するとＳ３０２へ進み、サービス情報を送信しないと判断するとＳ３０３の子機動作処理を行い、子機動作処理が完了すると本通信端末１００の動作処理を終了する。子機動作処理については図５を用いて後述する。
【００４８】
Ｓ３０２として、制御部１０１は子機の近接を検出し、近接を検出するとＳ３０４へと進む。近接の検出は、制御部１０１がＮＦＣ通信部１０９を通して変調をかけたＲＦ出力を定期的に出力するように制御し、子機から返答があると近接を検出したと判断する。
【００４９】
Ｓ３０４として、制御部１０１は近接を検出した子機に対し、子機のＩＤ情報を要求する信号を送信し、Ｓ３０５へ進む。ここでＩＤ情報とはサービス端末からサービス情報を受信できることを示す固有の認証ＩＤのことである。例えば、アミューズメントパークの入場時にゲート（のＮＦＣ通信端末）で入場チケット代わりに貰える固有認証ＩＤ情報などである。また、入場時にＮＦＣ固有の識別ＩＤ情報をゲートのＮＦＣ端末に送信している場合は、ＮＦＣの固有識別ＩＤ情報であってもよい。ＩＤ情報は通信端末１００自身もＲＡＭ１０２に記憶している。ＩＤ情報はサービス端末にも送付される。
【００５０】
Ｓ３０５として、制御部１０１は子機からＩＤ情報を受信するのを待ち、受信すると、ＲＡＭ１０２に受信したＩＤ情報を記憶してＳ３０６へ進む。
【００５１】
Ｓ３０６として、制御部１０１はサービス情報要求配布数を生成し、生成した要求枚数をＲＡＭ１０２に記憶する。制御部１０１は配布要求枚数をＳ３０５で受信したＩＤ情報数に通信端末１００が保持しているＩＤ情報数を加算することで算出する。またサービス情報要求配布数は操作部１０９を通してユーザが指定してきた枚数を制御部１０１が算出してもよい。
【００５２】
Ｓ３０７として、制御部１０１はサービス端末２００との近接検出を待つ。近接が検出されないと、制御部１０１はＳ３１１へ進み、検出した場合はＳ３０８へと進む。Ｓ３０７のサービス端末との近接検出は、制御部１０１がサービス端末からのＲＦ出力に重畳された変調信号を検出した場合に、サービス端末２００が近接したと検出する。また、Ｓ３０２と同様に制御部１０１がＮＦＣ通信部１０９と通してＲＦ出力に変調をかけて、サービス端末２００からの応答により、サービス端末の近接を検出してもよい。
【００５３】
Ｓ３１１として、制御部１０１は再度、通信端末との近接検出を待ち、近接を検出するとＳ３０４へ戻り、近接を検出しないとＳ３０７へ戻る。Ｓ３１１は、通信端末１００が既にＩＤ情報と受信した子機とは別の子機を検出した場合、通信端末１００が新たに検出した子機の代表者端末となる為のステップである。
【００５４】
Ｓ３０８として、制御部１０１はＮＦＣ通信部１０９を通してサービス端末２００にサービス情報要求信号を送信する。
【００５５】
Ｓ３０９として、制御部１０１はＮＦＣ通信部１０９を通してＲＡＭ１０２に記憶しているＩＤ情報と要求配布数情報をサービス端末２００に送付し、Ｓ３１０へ進む。
【００５６】
通信端末１００がＩＤ情報を送信するのはサービス端末２００がＩＤ情報と要求配布数を比較して、サービス情報を通信端末に送信してよいか否かを判断する為である。Ｓ３０９は、制御部１０１がサービス端末からＩＤ情報の取得要求を受信したら、ＩＤ情報と要求配布数情報をサービス端末に送信してもよい。
【００５７】
Ｓ３１０として、制御部１０１はＮＦＣ通信部１０９を通して、サービス端末からサービス情報と配布可能数情報を受信するのを待つ。制御部１０１はサービス情報を受信すると、ＲＡＭ１０２に受信したサービス情報を記憶して、Ｓ３１２へ進む。ここでサービス情報と配布可能数情報は、配布可能枚数分の固有に識別可能なサービス情報（シリアルナンバーが付いたサービス情報）であってもよい。
【００５８】
通信端末１００はＳ３１０でサービス端末からサービス情報を受信したので、Ｓ３１２からＳ３１６で子機に受信したサービス情報を配布する処理を行う。
【００５９】
Ｓ３１２として、制御部１０１は通信端末２００との近接検出を待つ。制御部１０１は近接を検出するとＳ３１３へと進む。
【００６０】
Ｓ３１３として、制御部１０１は子機にＩＤ情報の要求信号を送信し、Ｓ３１４へ進む。通信端末１００が子機に対し再度ＩＤ情報を要求するのは、子機がサービス情報と送ってよい機器か否かを判断する為である。
【００６１】
Ｓ３１４として、制御部１０１は通信端末２００からＩＤ情報を受信するのを待ち、ＩＤ情報を受信するとＳ３１５へと進む。
【００６２】
Ｓ３１５として、制御部１０１はＳ３１４で受信したＩＤ情報が既にＲＡＭに保持されているＩＤ情報とを照合し、一致するとサービス情報を子機に送信しＳ３１６へと進む。
【００６３】
Ｓ３１６として、制御部１０１はＲＡＭに配布可能な受信したサービス情報と配布可能数情報があるか否かを判断し、配布可能なサービス情報があると判断した場合はＳ３１２へ戻り、配布可能なサービス情報がないと判断すると本通信端末の動作処理を終了する。
【００６４】
このように通信端末１００は子機からＩＤ情報を受信し、受信したＩＤ情報を基に要求配布数を生成し、サービス端末２００にＩＤ情報と要求配布枚数を送信し、サービス端末２００からサービス情報と配布可能数情報とを受信し、子機に受信したサービス情報を配布する。よって、通信端末１００は代表者端末としてサービス端末２００から一括してサービス情報を取得し、子機にサービス情報を分配することができる。
【００６５】
＜子機機能の動作処理＞
図５は、本発明の第１の実施形態における通信端末１００の子機機能の動作処理を示したフロー図である。
【００６６】
図５を用いて図４のＳ３０３の子機機能の動作処理を説明する。この場合、外部の通信端末が代表者端末となる。
【００６７】
Ｓ４０１として、通信端末１００の制御部１０１は図３のＳ３０１でサービス情報を送信しないと判断したので、子機として代表者端末との近接を検出する。制御部１０１は代表者端末を検出するとＳ４０２へ進む。代表者端末との近接検出は、制御部１０１が代表者端末からのＲＦ出力に重畳された変調信号を検出した場合に、代表者端末が近接したと検出する。
【００６８】
Ｓ４０２として、制御部１０１は代表者端末からＩＤ情報要求信号が送信されるのを待ち、ＩＤ情報要求信号を受信するとＳ４０３へと進む。
【００６９】
Ｓ４０３として、制御部１０１はＲＡＭ１０２に記憶しているＩＤ情報を代表者端末に送信し、Ｓ４０４へと進む。制御部１０１はＮＦＣ通信部１０９に対し、代表者端末からのＲＦ出力に負荷変調をかけることでＩＤ情報を送信する。
【００７０】
その後、代表者端末はサービス端末からサービス情報を受信する。
【００７１】
Ｓ４０４として、通信端末１００の制御部１０１は代表者端末の検出を再び待ち、代表者端末を検出するとＳ４０５へと進む。
【００７２】
Ｓ４０５として、制御部１０１は代表者端末から再びＩＤ情報要求信号が送信されるのを待ち、ＩＤ情報要求信号を受信するとＳ４０６へと進む。Ｓ４０６として、制御部１０１はＩＤ情報を代表者端末に送信し、Ｓ４０７へと進む。
【００７３】
Ｓ４０７として、制御部１０１は代表者端末がサービス情報を送信するのを待ち、サービス情報を受信すると、本子機機能の動作処理を終了する。
【００７４】
このように子機機能を有することで通信端末は代表者端末にも子機にもなれる。
【００７５】
［実施例２］
＜サービス端末の動作フロー＞
実施例１は通信端末の動作処理フローを説明したが、実施例２としてサービス端末の動作処理フローを説明する。
【００７６】
図６は、本発明の第２の実施形態におけるサービス端末２００の動作処理を示したフロー図である。図６を用いてサービス端末が通信端末（代表者端末）との近接無線通信を行い、サービス情報の配布数を管理しながらサービス情報を送信配布する動作処理を説明する。
【００７７】
Ｓ５０１として、サービス端末２００の制御部２０１は、通信端末１００の近接検出を待ち、制御部２０１は通信端末２００の近接を検出すると、Ｓ５０２へと進む。制御部２０１はＮＦＣ通信部２０８を制御して変調をかけたＲＦ出力を定期的に出力し、通信端１００からの返答信号がくることで近接を検出する。
【００７８】
Ｓ５０２として、制御部２０１は通信端末１００がサービス情報要求信号を送信するのを待ち、通信端末からサービス情報要求信号を受信するとＳ５０３へ進む。
【００７９】
Ｓ５０３として、制御部２０１は通信端末１００がＩＤ情報と要求配布数情報を送信するのを待ち、制御部２０１はＩＤ情報と要求配布数情報を受信するとＲＡＭ２０２に記憶し、Ｓ５０４へと進む。
【００８０】
Ｓ５０４として、制御部２０１は受信した要求配布数が予め決められたサービス情報配布数を超えているか否かと受信したＩＤ情報はサービス情報を配布して良いＩＤ情報か否かを判断する。制御部１０１は受信した要求配布数が予め決められたサービス情報配布数を超えていず、受信したＩＤ情報はサービス情報を配布してもよいＩＤ情報と判断すると、サービス配布可能と判断し、Ｓ５０５へ進む。制御部２０１は、受信した要求配布数が予め決められたサービス情報配布数を超えている、又は、受信したＩＤ情報がサービス情報を配布不可なＩＤ情報と判断すると、サービス配布不可と判断し、Ｓ５０７へ進む。
【００８１】
制御部２０１が行うＩＤ情報が配布しても良いＩＤ情報か否かの判断は、通信部２０７により実施例１で前述の入場ゲートと通信を行い、受信した固有識別情報と同じか否かで判断する。
【００８２】
Ｓ５０５として、制御部２０１は実施例１で前述のサービス情報と配布可能数情報を生成し、Ｓ５０６へと進む。
【００８３】
Ｓ５０６として、制御部２０１はＮＦＣ通信部２０８を通して通信端末１００にサービス情報を送信し、本サービス端末の動作処理を終了する。
【００８４】
Ｓ５０７として、制御部２０１はＳ５０４でサービス情報の配布は不可と判断したので、通信端末１００に、サービス情報を送信できないことを通信端末１００に送信して、本サービス端末の動作処理を終了する。なお、Ｓ５０７で制御部２０１はＳ５０４でサービス情報の配布は不可と判断したら、配布可能数分のサービス情報を送信して終了してもよい。
【００８５】
このようにサービス端末２００がサービス情報の配布数を管理することで、限定した配布枚数のサービス情報の配布が可能となる。
【符号の説明】
【００８６】
１００  通信端末      １０１  制御部      １０２  ＲＡＭ      １０３  撮影部
１０４  表示部      １０５  操作部      １０６  記録部      １０７  無線通信部
１０８  内部バス      １０９  ＮＦＣ通信部
【図１】
2015153115.tif 000003
【図２】
2015153115.tif 000004
【図３】
2015153115.tif 000005
【図４】
2015153115.tif 000006
【図５】
2015153115.tif 000007
【図６】
2015153115.tif 000008